(57)【要約】【課題】  携帯電話機で撮像した動画像を閲覧可能とした求職支援システムを提供する。【解決手段】  求職者の履歴情報をこの求職者に設定した求職者ＩＤに関連付けして登録した求職者履歴情報蓄積サーバ３と、求職者履歴情報蓄積サーバ３が公開する求職者に関する履歴情報閲覧用Ｗｅｂページをアクセスする求人側端末装置４ａと、求職者に関する画像データを蓄積した画像蓄積サーバ５ａと、求職者に関する画像データを蓄積する画像蓄積サーバ５ａのＵＲＬを求職者ＩＤに関連付けして登録したデータベースを有する管理サーバ６と、求職者の携帯電話機２等から構成される求職支援システムである。管理サーバ６は、携帯電話機２からのアクセスにより、携帯電話機２で撮像した求職者に関する画像データを画像蓄積サーバ５ａにアップロードするときに、この求職者の認証を求職者の携帯電話機２が備えている機体番号で認証する手段と、この画像データを求職者の求職者ＩＤに関連付けして画像蓄積サーバ５ａのＵＲＬにアップロードする手段を備えている。【選択図】図１
2007213542.tif 000002
【特許請求の範囲】
【請求項１】
求職者の履歴情報を、前記求職者に設定された固有の求職者ＩＤに関連付けして登録した求職者別データベースを有する求職者履歴情報蓄積サーバと、
前記求職者履歴情報蓄積サーバがインターネット上に公開する前記求職者に関する履歴情報閲覧用Ｗｅｂページをアクセスする求人側の端末装置と、
前記求職者に関する画像データを蓄積する画像蓄積サーバと、
前記求職者に関する画像データを蓄積する前記画像蓄積サーバのＵＲＬを、前記求職者ＩＤに関連付けして登録した画像配信管理データベースを有する管理サーバと、
前記求職者の携帯端末と、を備えた求職支援システムであって、
前記管理サーバは、前記求職者の携帯端末からのアクセスにより、前記求職者の携帯端末で撮像した前記求職者に関する画像データを、前記画像配信管理データベースに前記求職者の前記求職者ＩＤに対応して登録されている前記画像蓄積サーバのＵＲＬにアップロードする画像アップロード支援手段を備えるとともに、
前記求人側の端末装置の履歴情報閲覧用Ｗｅｂページは、前記管理サーバをアクセスして前記求職者ＩＤに対応して登録されている前記画像蓄積サーバのＵＲＬを取得するリンク手段を備えていることを特徴とする求職支援システム。
【請求項２】
前記画像アップロード支援手段は、
前記携帯端末が備えている機体番号を取得するための機体番号取得用Ｗｅｂページと、
前記機体番号取得用Ｗｅｂページから取得した前記機体番号を前記求職者の求職者ＩＤに関連付けして求職者別機体番号データベースに登録する機体番号取得用Ｗｅｂページと、
前記求職者の携帯端末で撮像した前記求職者に関する画像データを前記画像蓄積サーバにアップロードするためのアップロード支援用Ｗｅｂページと、
を備えていることを特徴とする請求項１に記載の求職支援システム。
【請求項３】
前記アップロード支援用Ｗｅｂページは、前記求職者の携帯端末が備えている機体番号を取得する手段を備え、
さらに、前記画像アップロード支援手段は、前記アップロード支援用Ｗｅｂページにより取得した前記求職者の携帯端末が備えている機体番号が、前記求職者別機体番号データベースに登録されているか否かを判定する求職者認証手段を備えていることを特徴とする請求項２に記載の求職支援システム。
【請求項４】
前記求職者に関する画像データは、音声を含む動画像または静止画像であることを特徴とする請求項１または請求項２に記載の求職支援システム。
【発明の詳細な説明】
【技術分野】
【０００１】  本発明は、求職者が所有している携帯電話機を利用してこの求職者の求職を支援するシステムに関するものである。
【背景技術】
【０００２】  インターネット技術の普及に伴なって、種々の分野において各種の情報を提供するシステムが開発され、実用化されている。求職・求人分野においても、求人に関する情報を蓄積したＷｅｂサーバを、端末装置を利用して検索する各種の支援システムが提案されている。このような求職、あるいは求人支援システムとして、例えば、下記の特許文献に記載の発明が提案されている。【０００３】
【特許文献１】  特開２００２−１０９０３６号公報
【特許文献２】  特開２００３−２１６７２５号公報
【特許文献３】  特開２００４−３８４３４号公報
【０００４】  特許文献１には、インターネットを利用して、求人企業側の求人企業情報と待遇条件情報と、求職側の履歴情報を蓄積するサーバをアクセスすることにより、求職者は待遇条件の合致する求人情報を検索して求人企業側に応募できるようにした求人情報仲介システムが提案されている。そして、特許文献１には、求人企業の求人企業情報には職場環境の画像データと音声データの少なくともいずれかを含むこと、および、求職側の履歴情報には求職者を撮像した画像データと求職者の音声データの少なくともいずれかを含むことが記載されている。さらに、特許文献１には、履歴情報を入力した求職者にＩＤを設定し、この設定されたＩＤと入力された履歴情報とを関連付けてサーバに記憶することが記載されている。【０００５】  特許文献２には、携帯電話機で撮像した求職者の顔写真を管理サーバに送信するようにした人材派遣会社への申込システムが提案されている。【０００６】  特許文献３には、求職者に関する動画像および音声を含む履歴データを蓄積したサーバを、求人者側の端末に配信するようにした就職に関する情報配信システムが提案されている。
【発明の開示】
【発明が解決しようとする課題】
【０００７】  上記特許文献１〜３には、求職者に関する画像を含む履歴情報等を、インターネットを介して求人側の端末装置から閲覧可能にしたシステムが提案されている。しかし、求職者に関する画像をサーバに送信するときに、この求職者を認証する具体的な手段については開示されていない。さらに、求職者に関する画像は、必要に応じて新たな画像データをサーバに簡単な操作で送信（アップロード）可能なシステムにすると、求職者にとっては、より親切であり、かつ、求職に役立つシステムになると考えられる。【０００８】  そこで、本発明の目的は、求職者の携帯端末で撮像した求職者に関する音声を含む画像データを画像蓄積サーバに容易にアップロードする手段を備えるとともに、この画像データをアップロードする求職者の認証を求職者の携帯電話機に設定されている機体番号に基づいて行なうことにより、求職者の認証が確実に行なうことができるようにした求職支援システムを提供することにある。
【課題を解決するための手段】
【０００９】  本発明は、求職者の履歴情報を、前記求職者に設定された固有の求職者ＩＤに関連付けして登録した求職者別データベースを有する求職者履歴情報蓄積サーバと、
前記求職者履歴情報蓄積サーバがインターネット上に公開する前記求職者に関する履歴情報閲覧用Ｗｅｂページをアクセスする求人側の端末装置と、
前記求職者に関する画像データを蓄積する画像蓄積サーバと、
前記求職者に関する画像データを蓄積する前記画像蓄積サーバのＵＲＬを、前記求職者ＩＤに関連付けして登録した画像配信管理データベースを有する管理サーバと、
前記求職者の携帯端末と、を備えた求職支援システムであって、
前記管理サーバは、前記求職者の携帯端末からのアクセスにより、前記求職者の携帯端末で撮像した前記求職者に関する画像データを、前記画像配信管理データベースに前記求職者の前記求職者ＩＤに対応して登録されている前記画像蓄積サーバのＵＲＬにアップロードする画像アップロード支援手段を備えるとともに、
前記求人側の端末装置の履歴情報閲覧用Ｗｅｂページは、前記管理サーバをアクセスして前記求職者ＩＤに対応して登録されている前記画像蓄積サーバのＵＲＬを取得するリンク手段を備えている求職支援システムである。【００１０】  さらに、本発明は、前記画像アップロード支援手段は、
前記携帯端末が備えている機体番号を取得するための機体番号取得用Ｗｅｂページと、
前記機体番号取得用Ｗｅｂページから取得した前記機体番号を前記求職者の求職者ＩＤに関連付けして求職者別機体番号データベースに登録する機体番号取得用Ｗｅｂページと、
前記求職者の携帯端末で撮像した前記求職者に関する画像データを前記画像蓄積サーバにアップロードするためのアップロード支援用Ｗｅｂページと、
を備えている求職支援システムである。【００１１】  さらに、本発明は、前記アップロード支援用Ｗｅｂページは、前記求職者の携帯端末が備えている機体番号を取得する手段を備え、
さらに、前記画像アップロード支援手段は、前記アップロード支援用Ｗｅｂページにより取得した前記求職者の携帯端末が備えている機体番号が、前記求職者別機体番号データベースに登録されているか否かを判定する求職者認証手段を備えている求職支援システムである。【００１２】  さらに、前記求職者に関する画像データは、音声を含む動画像または静止画像とされている求職支援システムである。
【発明の効果】
【００１３】  本発明の求職支援システムは、次のような効果を有している。
（１）求職者の携帯端末で撮像したこの求職者に関する音声を含む動画像あるいは静止画像データを、管理サーバのＷｅｂページを利用して簡単な操作で画像蓄積サーバにアップロードすることができる。また、この画像データのアップロード操作を行なうために管理サーバをアクセスするときの求職者の認証は、求職者の携帯端末が予め備えている機体番号に基づいて行なう手段を採用しているので、求職者は面倒なＩＤやパスワードを入力する必要がなくなる。【００１４】  （２）求職者に関する情報について、文字情報（テキスト情報）で表される履歴情報は求職者履歴情報蓄積サーバに、動画像または静止画像に関する画像データは画像蓄積サーバに蓄積するようにしている。また、求職者の携帯端末で撮像した画像データは、管理サーバをアクセスして画像蓄積サーバにアップロードするようにしている。これにより、従来から実用化されている求職支援システムが備えている求職者の履歴情報を蓄積した求職者別データベースをそのまま活用したシステムを構築することができる。さらに、管理サーバ側は、求職者の携帯端末が管理サーバをアクセスするために必要とするＷｅｂページを作成するのみで、大きなシステム改造を行なわなくても、本発明のシステムを構築することができる。
【発明を実施するための最良の形態】
【００１５】  以下、本発明を実施するための形態を、図面に基づいて説明する。図１は、本発明のシステムを実施するためのシステム構成の一例を示す。【００１６】  図１において、１は求職者のパーソナルコンピュータから構成される端末装置、２は同じく求職者の携帯端末（以下、携帯電話機という）である。端末装置１は、Ｗｅｂサイトのホームページを閲覧するためのソフトウエアであるＷｅｂブラウザを備えている端末装置である。端末装置１は、求職者の氏名、住所、携帯電話機のメールアドレス、履歴情報等を入力して、後記する求職者履歴情報蓄積サーバに登録するために使用される。なお、この履歴情報等の入力は、携帯電話機２を使用してもよい。【００１７】  携帯電話機２は、インターネット接続機能と、カメラ機能とを備えた携帯電話機である。このカメラ機能としては、少なくとも静止画像を撮像する機能を有する必要があるが、本システムの機能をより発揮するためには、動画像を撮像する機能を備えていることがより望ましい。なお、上記した求職者とは、就職先を探している個人を示す。【００１８】  図１においては、端末装置１と携帯電話機２はそれぞれ１台のみを図示しているが、ユーザー登録した多数の求職者ごとにそれぞれ端末装置１と携帯電話機２が存在している。【００１９】  ３は、求職者に関する各種の属性情報を蓄積した求職者別データベースを有する求職者履歴情報蓄積サーバである。この属性情報は、上記したように、本システムの利用についてユーザー登録した求職者の氏名、住所、求職者が所有している携帯電話機２のメールアドレス、求職者の履歴情報等、の文字情報から構成される。これら求職者に関する属性情報は、求職者の端末装置１または携帯電話機２が、求職者履歴情報蓄積サーバ３のＷｅｂページをアクセスして、求職者が入力した情報が求職者別データベースに登録（蓄積）される。【００２０】  ４ａ、４ｂは、求人側の企業等が保有しているパーソナルコンピュータから構成される端末装置（以下、求人側端末装置という）であって、Ｗｅｂブラウザがインストールされている。求人側端末装置４ａ、４ｂは、求職者履歴情報蓄積サーバ３をアクセスして求職者別データベースに蓄積されている求職者に関する履歴情報等を閲覧するために使用される。図１に示す１０は、求人側端末装置４ａ等が求職者履歴情報蓄積サーバ３をアクセスして、画面に表示した履歴情報閲覧用Ｗｅｂページを示している。【００２１】  ５ａ、５ｂは、求職者の携帯電話機２により撮像されたこの求職者に関する画像データを蓄積する画像蓄積サーバである。この画像データは、求職者を紹介する音声を含む動画像、あるいは静止画像であって、例えば、求職者の顔など撮像した画像である。なお、図１には、画像蓄積サーバは５ａ、５ｂの２台のサーバを図示しているが、１台としてもよい。【００２２】  ６は管理サーバである。管理サーバ６は、求職者が携帯電話機２で撮像した画像データを画像蓄積サーバ５ａ等にアップロードする操作を支援する手段と、求人側端末装置４ａ、４ｂが求職者履歴情報蓄積サーバ３をアクセスして求職者に関する履歴情報等の情報を閲覧するときに、画像蓄積サーバ５ａ等に蓄積されているこの求職者に関する画像を表��させるための配信制御を行なう手段を備えている。【００２３】  上記した求職者の端末装置１、求職者履歴情報蓄積サーバ３、求人側端末装置４ａ、４ｂ、画像蓄積サーバ５ａ、５ｂ、管理サーバ６は、インターネット７に接続されている。また、携帯電話機２は地上基地局８、携帯電話機２のサービス会社のサーバ９を介してインターネット７に接続されようになっている。【００２４】  続いて、本発明のシステムを稼動させるために、上記した求職者履歴情報蓄積サーバ３、および管理サーバ６が備えているデータベースの構成例について説明する。【００２５】  求職者履歴情報蓄積サーバ３は、図２に示すようなデータ項目に関するデータが登録された求職者別データベースＡを備えている。求職者別データベースＡには、求職者を識別するために設定された識別情報（以下、求職者ＩＤという）ａ１ごとに、求職者のメールアドレスａ２の他に、求職者の属性情報ａ３となる氏名、住所、各種の履歴情報、等に関するデータが登録されている。【００２６】  求職者別データベースＡに登録される求職者ＩＤ（ａ１）は、求職者履歴情報蓄積サーバ３の運営者が求職の申請を行なった求職者に対して設定する識別情報であって、求職者ごとに固有の識別情報になる。求職者ＩＤ（ａ１）は、５〜１０桁程度の数字あるいは英数字から構成されるようにする。また、求職者ＩＤ（ａ１）は、求職者の端末装置１が求職者履歴情報蓄積サーバ３をアクセスして履歴情報等の登録申請を行なった順に、プログラム処理により自動的に設定するようにしてもよい。求職者のメールアドレスａ２は、求職者が所有している携帯電話機２のメールアドレスである。【００２７】  管理サーバ６は、図３に示すようなデータ項目に関するデータを登録した画像配信管理データベースＢと、図４に示すようなデータ項目に関するデータを登録した求職者ＩＤ別機体番号データベースＣを備えている。【００２８】  画像配信管理データベースＢは、求職者に設定された前記求職者ＩＤ（ａ１）ごとに、この求職者に関する画像データを蓄積している蓄積サーバ５ａ等のＵＲＬ（ｂ１）、この求職者のメールアドレスａ２、等を登録したデータベースである。【００２９】  画像配信管理データベースＢを構成する画像蓄積サーバ５のＵＲＬｂ１は、求職者が携帯電話機２で撮像した画像データのファイルを蓄積する画像蓄積サーバ５のＵＲＬに関するデータである。通常、ＵＲＬに関するデータは、スキーム名、ドメイン名、ディレクトリから構成されるが、システム稼動前に、求職者ＩＤに対応して画像蓄積サーバ５のＵＲＬ（ｂ１）にはスキーム名とドメイン名を登録しておく。そして、ディレクトリに関する情報は、後記するように、求職者の携帯電話機２から画像データのアップロードの要求が発生したときに、この求職者の求職者ＩＤ（ａ１）に関連付けしたディレクトリをプログラム処理により設定して、この設定したディレクトリを付加したＵＲＬを、画像蓄積サーバ５のＵＲＬ（ｂ１）として画像配信管理データベースＢに登録する処理を行なうようにする。【００３０】  求職者ＩＤ別機体番号データベースＣは、求職者ＩＤ（ａ１）ごとに、この求職者ＩＤ（ａ１）が設定された求職者が所有している携帯電話機２の機���番号ｃ１を登録したデータベースである。携帯電話機２の機体番号ｃ１は、携帯電話機２を識別するための固有の識別情報であって、携帯電話機２の製造時に所定の桁数からなる数字、または英数字からなる機体番号ｃ１が携帯電話機２の記憶装置に記憶される。また、パーソナルコンピュータ等の外部装置等から携帯電話機２に対して機体番号ｃ１の送信要求を行なうと、携帯電話機２が備えているプログラムは、この携帯電話機２に記憶されている機体番号ｃ１を外部装置に送信する機能を有している。本発明のシステムは、携帯電話機が備えている機体番号送信機能を利用して、求職者の携帯電話機２が備えている固有の識別情報である機体番号を取得するようにしている。【００３１】  なお、上記した構成からなる本発明の求職支援システムにおいて、求職者履歴情報蓄積サーバ３を管理運営する運営者と、管理サーバ６を管理運営する運営者は、同一の運営者であってもよいし、それぞれ別の運営者であってもよい。【００３２】  続いて、本発明の求職支援システムの動作について説明する。図５は、本発明のシステムの情報の流れを示す図である。以下、図５に示すステップ順に説明する。【００３３】（ステップＳ１）
求職者は端末装置１を操作して、求職者履歴情報蓄積サーバ３がインターネット７上に公開するユーザー登録用Ｗｅｂページをアクセスして、ユーザー登録を行なう。このユーザー登録においては、ユーザー登録用Ｗｅｂを利用して求職者の氏名、住所、履歴情報等の属性情報と、求職者が所有している携帯電話機２のメールアドレスａ２を求職者履歴情報蓄積サーバ３に登録する操作を行なう。【００３４】（ステップＳ２）
求職者履歴情報蓄積サーバ３は、上記ステップＳ１により求職者に関する属性情報、携帯電話機２のメールアドレスａ２、等を取得すると、予め備えているプログラムにより下記（処理１）〜（処理３）に記載の処理を行なう。【００３５】（処理１）
ユーザー登録を行なった求職者に対して、前記した求職者ＩＤ（ａ１）をプログラム処理により設定する。この求職者ＩＤ（ａ１）は、個々の求職者を識別するための識別情報であって、５〜１０桁程度の数字あるいは英数字から構成される。なお、この求職者ＩＤ（ａ１）の設定は、求職者別データベースＡに予め求職者ＩＤ（ａ１）を登録しておき、求職者がユーザー登録を行なった順に、求職者別データベースＡに予め登録されている求職者ＩＤ（ａ１）を、ユーザー登録を行なったユーザーに割り付ける処理を行なってもよい。【００３６】（処理２）
上記（処理１）で発行した求職者ＩＤ（ａ１）に関連（対応）付けして、端末装置１から取得した求職者に関する属性情報、携帯電話機２のメールアドレスａ２等を、求職者別データベースＡに登録する処理を行なう。【００３７】（処理３）
求職者ＩＤ（ａ１）と、端末装置１から取得した携帯電話機２のメールアドレスを管理サーバ６に送信する処理を行なう。【００３８】（ステップＳ３）
管理サーバ６は、求職者履歴情報蓄積サーバ３から求職者ＩＤ（ａ１）と、求職者が保有している携帯電話機２のメールアドレスａ２を取得すると、データベース作成用プログラムを利用して画像配信管理データベースＢに、この取得した求職者ＩＤ（ａ１）と、この求職者ＩＤ（ａ１）に対応させて求職者の携帯電話機２のメールアドレスａ２を登録する。さらに、この求職者ＩＤ（ａ１）に対応させて画像蓄積サーバ５ａまたは５ｂのＵＲＬ（ｂ１）を決めて画像配信管理データベースＢに登録する。この画像蓄積サーバ５ａまたは５ｂのＵＲＬ（ｂ１）は、前記したように、スキーム名とドメイン名が登録される。【００３９】（ステップＳ４）
続いて、管理サーバ６は、上記ステップＳ３で求職者履歴情報蓄積サーバ３から取得した求職者ＩＤ（ａ１）と、機体番号ｃ１を登録するための管理サーバのＵＲＬを、同じく求職者履歴情報蓄積サーバ３から取得した求職者の携帯電話機２のメールアドレスａ２宛に送信する処理を行なう。【００４０】（ステップＳ５）
求職者の携帯電話機２は、上記ステップＳ４により管理サーバ６からメールを受信すると、受信したメールに関する情報が、例えば、図６に示すような画面Ｇ１として表示される。求職者は自分に設定された求職者ＩＤ（ａ１）を、画面Ｇ１の表示領域ｇ１ａに表示された情報を見て確認することができる。また、画面Ｇ１の表示領域ｇ１ｂには、求職者が所有している携帯電話機２の機体番号ｃ１を管理サーバ６に登録するためのＵＲＬを表示する。【００４１】（ステップＳ６）
求職者は自分の携帯電話機２を用いて、上記ステップＳ５により表示領域ｇ１ｂに表示された携帯電話機２の機体番号ｃ１を管理サーバ６に登録するためのＵＲＬをアクセスする操作を行なう。そして、管理サーバ６は携帯電話機２からアクセスされると、図７に示すＷｅｂページＧ２を携帯電話機２に表示する処理を行なう。このＷｅｂページＧ２には、この求職者に設定された求職者ＩＤ（ａ１）を表示する表示領域ｇ２ａ、「端末登録」のボタンを表示する表示領域ｇ２ｂ、等を設けている。【００４２】  ＷｅｂページＧ２の表示領域ｇ２ｂに表示している「端末登録」のボタンは、求職者がこの「端末登録」のボタンをクリックすることにより、管理サーバ６をアクセスしている携帯電話機２の機体番号ｃ１を、管理サーバ６がプログラム処理により取得するための操作手段になる。管理サーバ６が携帯電話機２の機体番号ｃ１を取得するためには、ＷｅｂページＧ２を表示するためのプログラム言語内に、携帯電話機２の機体番号ｃ１を取得する処理を行なうプログラムを組み込むようにする。【００４３】（ステップＳ７）
管理サーバ６は、ＷｅｂページＧ２に表示された「端末登録」のボタンのクリック操作に基づいて、求職者の携帯電話機２が備えている機体番号ｃ１を取得すると、この機体番号ｃ１をプログラムの処理により、この求職者に設定されている求職者ＩＤ（ａ１）と対応させて求職者ＩＤ別機体番号データベースＣ（図４参照）に登録する処理を行なう。求職者ＩＤ別機体番号データベースＣは、求職者の求職者ＩＤ（ａ１）ごとに、この求職者が所有している携帯電話機２の機体番号ｃ１を登録したデータベースになる。上記したステップＳ６〜Ｓ７の処理は、求職者が所有している携帯電話機２の機体番号を取得する手段になる。【００４４】  管理サーバ６は、求職者の携帯電話機２を備えている機体番号ｃ１を取得して求職者ＩＤ別機体番号データベースＣへの登録処理が終わると、図８に示すようなＷｅｂページＧ３を求職者の携帯電話機２に表示する処理を行なう。ＷｅｂページＧ３は、求職者に対して、携帯電話機２の機体番号ｃ１の登録が完了したことと、この携帯電話機２で撮像した求職者に関する画像のアップロードを促すためのＷｅｂページである。ＷｅｂページＧ３の表示領域ｇ３ａには、「ログイン画面へ」のボタンを表示する。そして、求職者は、この「ログイン画面へ」のボタン表示領域ｇ３ａをクリックすると、管理サーバ６は、図９に示すＷｅｂページＧ４を携帯電話機２の画面に表示する処理を行なう。【００４５】（ステップＳ８）
求職者は自分の携帯電話機２を利用して、求職者に関する画像を撮像して携帯電話機２に記録する操作を行なう。この求職者に関する画像は、静止画像、動画像のいずれでもよいが、求人側企業等に対して求職者のアピール効果を高めるためには、音声を含む求職者自身の動画像からなる自己紹介の画像、例えば、２０〜３０秒程度撮像した動画像にすることが望ましい。【００４６】（ステップＳ９）
求職者は、図９に示す管理サーバ６のＷｅｂページＧ４を利用して携帯電話機２で撮像した画像をアップロードする操作を行なう。ＷｅｂページＧ４は、画像をアップロードするためのログイン画面であって、この求職者を認証するデータを取得するためのＷｅｂページである。このＷｅｂページＧ４を表示するプログラム言語内には、表示領域ｇ４ａに表示されている「Ｅａｓｙ」ボタンをクリックすると携帯電話機２の機体番号ｃ１を取得する処理を行なうプログラムが組み込まれている。これにより、求職者は携帯電話機２の画面に表示された「Ｅａｓｙ」ボタンをクリックすると、管理サーバ６は携帯電話機２の機体番号ｃ１を取得することが可能になる。【００４７】（ステップＳ１０）
管理サーバ６は、ＷｅｂページＧ４を利用して携帯電話機２の機体番号ｃ１を取得すると、プログラム処理により、この機体番号ｃ１が求職者ＩＤ別機体番号データベースＣに登録されているか否かを判定する処理、すなわち、求職者の認証を求職者が保有している携帯電話機２の機体番号ｃ１で行なう処理を行なう。この認証処理の結果、機体番号ｃ１が予め求職者ＩＤ別機体番号データベースＣに登録されている場合には、正当な求職者が画像をアップロードしていると判定されるので、管理サーバ６は図１０に示すＷｅｂページＧ５を携帯電話機２に表示する処理を行なう。一方、取得した機体番号ｃ１が予め求職者ＩＤ別機体番号データベースＣに登録されていない場合には、例えば、ＷｅｂページＧ４の表示領域ｇ４ｂに、「機体番号が登録されていません」等のエラーメッセージを表示する処理を行なう。このステップＳ１０の処理内容は、求職者を認証する手段になる。【００４８】  上記したように、求職者が自分の携帯電話機２で撮像した画像をアップロードするために管理サーバ６をアクセスするときに、管理サーバ６がこの求職者を認証する処理は、ＷｅｂページＧ４の「Ｅａｓｙ」ボタンを１回クリックする操作を行なうのみで、このクリック操作により取得した携帯電話機２の機体番号ｃ１により行なうようにしている。このため、本発明のシステムは、求職者は管理サーバ６をアクセスするときに、求職者のＩＤやパスワード等を入力する面倒なログイン操作を行なう必要がなく、かつ、確実に求職者を認証することができるシステムを提供することができる。【００４９】（ステップＳ１１）
求職者は携帯電話機２に表示されたＷｅｂページＧ５の「画像更新」ボタンｇ５ａをクリックする操作を行なう。「画像更新」ボタンｇ５ａがクリックされると、管理サーバ６は図１１に示すＷｅｂページＧ６を携帯電話機２に表示する処理を行なう。【００５０】  ＷｅｂページＧ６の表示領域ｇ６ａには、携帯電話機２で撮像してこの携帯電話機２に記憶されている求職者に関する画像データを、メールに添付して画像蓄積サーバ５ａまたは５ｂにアップロードするためのメールの件名とアドレスが表示されている。そして、求職者は、この求職者に関する画像データをメールに添付してこの表示領域ｇ６ａに表示されているアドレスに送信する操作を行なう。この画像データのアップロード処理は、ＷｅｂページＧ６の表示領域ｇ６ａのクリックにより実行させることができる。【００５１】  なお、管理サーバ６は、ＷｅｂページＧ６の表示領域ｇ６ａに表示するメールの件名とメール送信先のアドレスのうち、メールの件名は、プログラム処理により、例えば、固有の識別番号から構成された件名とする処理を行なう。そして、この固有の識別番号から構成されたメールの件名をこの求職者の求職者ＩＤと共に記憶装置に一旦記憶しておく。なお、この求職者ＩＤは、管理サーバ６をアクセスしている携帯電話機２から取得した機体番号ｃ１から求職者ＩＤ別機体番号データベースＣを参照して求めることができる。【００５２】（ステップＳ１２）
画像蓄積サーバ５ａ（５ｂ）は上記ステップＳ１１により、画像データを添付したメールを受信すると、プログラム処理により、管理サーバ６に対して、受信したメールの件名を管理サーバ６に送信して、受信したメールに添付されている画像データを蓄積（記憶）するＵＲＬの取得要求を行なう。【００５３】  管理サーバ６は、画像蓄積サーバ５ａ（５ｂ）から画像データを蓄積する画像蓄積サーバ５ａ（５ｂ）のＵＲＬの取得要求を受信すると、前記ステップＳ１１により固有の識別番号から構成されたメールの件名に対応して記憶装置に記憶している求職者ＩＤを求める処理を行なう。続いて、管理サーバ６は、この求職者ＩＤが設定された求職者に関する画像を蓄積する画像蓄積サーバ５ａ（５ｂ）のＵＲＬを設定する処理を行なう。【００５４】  上記した管理サーバ６が、画像を蓄積する画像蓄積サーバ５ａ（５ｂ）のＵＲＬを設定する処理は、例えば、ＵＲＬのデータを構成するスキーム名、ドメイン名、ディレクトリのうち、ディレクトリは求職者ＩＤと同一のデータとするか、あるいは求職者ＩＤと関連付けされた他のデータから構成するようにするとよい。続いて、管理サーバ６は、この設定した画像蓄積サーバ５ａ（５ｂ）のＵＲＬを、求職者ＩＤに対応させて画像配信管理データベースＢの画像蓄積サーバ欄ｂ１に記憶する処理を行ない、さらに、ＵＲＬの取得要求を行なった画像蓄積サーバ５ａまたは５ｂに、この設定した画像蓄積サーバ５ａ（５ｂ）のＵＲＬを送信する処理を行なう。【００５５】  画像蓄積サーバ５ａ（５ｂ）に搭載されているプログラムは、管理サーバ６から求職者に関する画像を蓄積するＵＲＬを取得すると、携帯電話機２から送信されたこの求職者に関する画像データを、受信したＵＲＬに記憶する処理を行なう。【００５６】  以上に説明したステップＳ１〜Ｓ１２に基づいて、求職者は自分の携帯電話機２で撮像した画像データを画像蓄積サーバ５ａ（５ｂ）にアップロードすることができる。また、求職者は一度画像蓄積サーバ５ａ（５ｂ）に登録した画像について、最新の画像を画像蓄積サーバ５ａ（５ｂ）に再登録したいときには、図９に示す管理サーバ６のＷｅｂページＧ４をアクセスすることにより、容易に再アップロードを行なうことが可能になる。【００５７】  上記したＷｅｂページＧ１〜Ｇ６、これらＷｅｂページを構成しているプログラムの処理内容、およびこれらＷｅｂページから取得したデータに伴なって管理サーバ６が処理する内容等は、画像アップロード支援手段となる。【００５８】  続いて、求人側端末装置４ａ（４ｂ）が求人者履歴情報蓄積サーバ３をアクセスして求職者に関する情報を閲覧するステップとその処理内容を、図５に示すステップＳ１３〜Ｓ１８に基づいて説明する。【００５９】（ステップＳ１３）（ステップＳ１４）
まず、求人側企業等は、端末装置４ａ（４ｂ）からユーザーＩＤ、パスワードを入力して、求人者履歴情報蓄積サーバ３をアクセスして、求人者履歴情報蓄積サーバ３が会員企業等に公開する求職者閲覧用Ｗｅｂページ１０（図１参照）を画面に表示させる。履歴情報閲覧用Ｗｅｂページ１０には、例えば、求職者ＩＤごとに、この求職者ＩＤが設定された求職者の履歴情報等を表示するようにする。また、この求職者ＩＤを履歴情報閲覧用Ｗｅｂページ１０の表示領域１１に表示する。そして、この履歴情報閲覧用Ｗｅｂページ１０を表示するプログラムには、この表示領域１１をマウスでクリックすると、管理サーバ６をアクセスして、この表示領域１１に表示されている求職者ＩＤに対応する求職者の画像データを蓄積している画像蓄積サーバ５ａ（５ｂ）のＵＲＬを取得する手段となるプログラムを埋め込んでおくようにする。【００６０】（ステップＳ１５）（ステップＳ１６）
履歴情報閲覧用Ｗｅｂページ１０の表示領域１１をマウスでクリックすると、管理サーバ６は端末装置４ａ（４ｂ）から取得した求職者ＩＤについて、画像配信管理データベースＢを参照して、取得した求職者ＩＤに対応して画像配信管理データベースＢに登録されている画像蓄積サーバのＵＲＬ（ｂ１）を求める処理を行なう。そして、求めた画像蓄積サーバのＵＲＬ（ｂ１）を求人側端末装置４ａ（４ｂ）に送信する処理を行なう。【００６１】（ステップＳ１７）（ステップＳ１８）
求人側端末装置４ａ（４ｂ）は、管理サーバ６から画像蓄積サーバのＵＲＬ（ｂ１）を取得すると、Ｗｅｂブラウザはこの取得した画像蓄積サーバのＵＲＬ（ｂ１）をアクセスする。これにより、求人側端末装置４ａ（４ｂ）は、画像蓄積サーバ５ａ（５ｂ）のＵＲＬ（ｂ１）に蓄積されている画像データを再生して閲覧することが可能になる。この閲覧できる画像は、前記したように、音声を含む動画像または静止画像として再生することができる。【００６２】  以上に説明した本発明に実施形態において、図１１に示すＷｅｂページＧ６を求職者の携帯電話機２に表示した後、所定の時間、例えば、２０分経過しても画像データのアップロードが実行されない場合には、管理サーバ６はこのアップロード要求を無効にする処理を行なうようにするとよい。これにより、画像データをアップロードする求職者のセキュリティをより高めることができる。
【図面の簡単な説明】
【００６３】
【図１】  本発明のシステムを実施するための、システム構成の一例を説明する図である。
【図２】  図１に示す求職者履歴情報蓄積サーバが備えている求職者別データベースの構成を説明するための図である。
【図３】  図１に示す管理サーバが備えている画像配信管理データベースの構成を説明するための図である。
【図４】  図１に示す管理サーバが備えている求職者ＩＤ別機体番号データベースの構成を説明するための図である。
【図５】  本発明のシステムにおいて、情報の流れを説明するための図である。
【図６】  管理サーバが求職者の携帯電話機に表示するＷｅｂページを説明するための図である。
【図７】  同じく、管理サーバが求職者の携帯電話機に表示するＷｅｂページであって、機体番号の登録を行なうためのＷｅｂページである。
【図８】  同じく、管理サーバが求職者の携帯電話機に表示するＷｅｂページであって、機体番号の登録が終了したときに表示するＷｅｂページである。
【図９】  同じく、管理サーバが求職者の携帯電話機に表示するＷｅｂページであって、画像データをアップロードするときに表示するログイン用のＷｅｂページである。
【図１０】  同じく、管理サーバが求職者の携帯電話機に表示するＷｅｂページであって、画像データをアップロードする操作を行なうときに表示するＷｅｂページである。
【図１１】  同じく、管理サーバが求職者の携帯電話機に表示するＷｅｂページであって、画像データをアップロードする操作を行なうときに表示する他のＷｅｂページである。
【符号の説明】
【００６４】  １：求職者の端末装置
２：求職者の携帯電話機（携帯端末）
３：求職者履歴情報蓄積サーバ
４ａ、４ｂ：求人側端末装置
５ａ、５ｂ：画像蓄積サーバ
６：管理サーバ
７：インターネット
１０：履歴情報閲覧用Ｗｅｂページ
Ａ：求職者別データベース
Ｂ：画像配信管理データベース
Ｃ：求職者ＩＤ別機体番号データベース
Ｇ１、Ｇ２、Ｇ３、Ｇ４、Ｇ５、Ｇ６：携帯電話機用Ｗｅｂページ
【図１】
2007213542.tif 000003
【図２】
2007213542.tif 000004
【図３】
2007213542.tif 000005
【図４】
2007213542.tif 000006
【図５】
2007213542.tif 000007
【図６】
2007213542.tif 000008
【図７】
2007213542.tif 000009
【図８】
2007213542.tif 000010
【図９】
2007213542.tif 000011
【図１０】
2007213542.tif 000012
【図１１】
2007213542.tif 000013